Podtech/llm-jp-corpus-v4-ja_patent huggingface dataset:
(57)【要約】      （修正有）【課題】介護の一旦として、患者の入浴、即ち重度の患者さんを看護士、等が洗体作業時、従来までは、水に強い、材質で製造した。普通の椅子（バス用の椅子）を使用して作業を行うが、患者の下腹部を洗うのは難儀、をしている経度の患者は患者自身で洗う。（看護士さん、等の腰痛の原因にもなっている。）【解決手段】臀部の接する部分４は両サイド、であり、構造的にも引っ張りで、中央の帯状の開口は何も問題は無い。開口部を利用する事により、患者は楽であり、当然、看護士、等も容易に洗体作業が行える。（椅子はコンパクト設計、即ち洗浄が容易。）患者は今までより増して、清潔になり、健康につながる。【選択図】図１
2009095630.tif 000002
【特許請求の範囲】
【請求項１】
トラスを利用、コンパクト設計、収納、携帯できるようにした、健康椅子。
【請求項２】
健康椅子の座の部分が左右の二枚の帯状になり、中央部分が帯状に開いている形状になっている。
【発明の詳細な説明】
【発明の詳細な説明】
【技術分野】
【０００１】本発明は、トラスを利用、構造的に強く、通常の携帯用の椅子として、使用出来る。本来は、介護用の浴室の椅子として使用。
【背景技術】
【０００２】介護の一旦として、患者の入浴、即ち重度の患者さんを看護士、等が洗体作業時、従来までは、水に強い、材質で製造した。普通の椅子（バス用の椅子）を使用して作業を行うが、患者の下腹部洗うのは難儀、をしている。経度の患者は患者、自身で洗う。
【発明を実施するための最良の形態】
【０００３】本発明は臀部の接する部分が両サイド、中央部が帯状の開口になっている。即ち、人間工学的にしても患者は楽であり。当然、看護士、等も容易に洗体作業が行える。（重度の患者は軟らかい、スポンジ、ブラシ等で洗う。）
【発明の効果】
【０００４】この椅子を使用すれば、患者は楽であり、洗体作業を行う看護士等は腰等の負担が少なく、作業が出来る。又構造的にはトラスを利用、素材は少なく、強固で安定度は、抜群。（椅子はコンパクト設計、即ち洗浄が容易。）患者は今までより増して清潔になり、健康につながる。
【トラスを利用した、介護用、健康椅子】
。
【図面の簡単な説明】
【図１】の一頁は［トラスを利用した、介護用、健康椅子。］の［正面図］、［背面図］及び［右側面図］、［左側面図］。二頁は［平面図］、［底面図］。（  スツール《ｓｔｏｏｌ》背もたれの無い椅子の図面）
【符号の説明】
▲１▼−蝶ネジ、ナットとワッシャー及びボルト。（素材はステンレス等、錆に強く強固、で安価）▲２▼＆▲３▼−パイプ？素材はステンレス等、錆に強く強固で安価、囗の形状で一番力の掛からない、下の中央で繋いだ物。（下部に小穴ドレーン）▲４▼−は臀部が接する部分、柔らかく、水切れが良い物、引っ張りに強く、強固。（▲４▼−は▲６▼−より少し長め。）長さの調整が自由自在の物が良いかも知れない。▲５▼−は滑り止め、ビニール、合成ゴム等、水に強く弾力性に富んだ物質をパイプに４ｃｍ前後の長さ、厚みは１ｃｍ前後全体に取り付けた、姿図。▲６▼−は巾３ｃｍ前後で本体のパイプ▲２▼及び▲３▼に３００ｍｍ巾に固定した、姿図、（長さの調整が自由自在の物が良いかも知れない。）（素材は▲４▼と同じく柔らかく、水切れが良い物、引っ張りに強く、強固。）
【図２】
は▲１▼の［詳細図］ボルト、ワッシャー、二重の蝶ナットの姿図。
【図３】
は二重の蝶ナットの代用、ノックピンの姿図。
【図４】
は▲２▼の改良図、それを符号で《▲２▼》とする。（  スツール《ｓｔｏｏｌ》の部品からチェア《ｃｈａｉｒ》の部品、）即ち、背もたれを取り付け、寸法を長くした、［斜視図］の［姿図］。
【図５】
は▲３▼の改良図、それを符号で《▲３▼》とする。［図４］と同じく、寸法を長くした、［姿図］。黒点は［図２］のボルト、が入る穴、其々の位置の図。（［図１］は普通サイズのスツール《ｓｔｏｏｌ》、普通のサイズ、Ｍとするならば、ＳＳ〜５Ｌまで多種多様の大きさがあっても良い）、チェア《ｃｈａｉｒ》も其々の好みの形、大きさに、出来る穴の位置の図である。
【図６】
は▲４▼の［詳細図］の［側面図］。（普通のベルトと留め金）
【図７】
は▲４▼の［詳細図］の［平面図］。（普通のベルトと留め金）▲６▼は▲４▼と形は同じく、巾のみ、狭い。
【図８】
はチェア《ｃｈａｉｒ》（背もたれ付きの椅子）の側面から見た、簡単な、図。
【図９】
は同じく、  チェア《ｃｈａｉｒ》（背もたれ付きの椅子）の側面から見た、簡単な図。▲４▼のベルトを長くした図。及び、▲７▼の棒状のパイプを取り付ける、部品（自在クランプ）で取り付けた。姿図。▲７▼の棒状のパイプは重心が前後に掛かる場合の安全対策である。通常は余り、必要ではないと思われる。病院等、重度の患者の洗体作業は、金網状のベットに患者を移し、それを、ホイストで吊り浴槽に患者を運び洗体作業が終わると元のベットに患者を移す。（設備の整った病院、介護、施設が多い）
【図１】
2009095630.tif 000003
【図１】
2009095630.tif 000004
【図２】
2009095630.tif 000005
【図３】
2009095630.tif 000006
【図４】
2009095630.tif 000007
【図５】
2009095630.tif 000008
【図６】
2009095630.tif 000009
【図７】
2009095630.tif 000010
【図８】
2009095630.tif 000011
【図９】
2009095630.tif 000012
(57)【要約】【課題】電気治療器において、治療パターンを電気治療器装置外部から入力し、あるいは治療パターンを電気治療器装置外部に記録または送信できるようにすることを課題とする。【解決手段】容易に取り外し可能な補助記憶装置２または通信インタフェース４のいずれか一方、あるいは両方を設けることにより、電気治療器装置外部から多種多様な治療パターンを電気治療器装置内部に取り入れて利用したり、使用者が電気治療器で作成した治療パターンを電気治療器装置外部に取り出して他の装置でも利用することができる。【選択図】図１
2009095626.tif 000002
【特許請求の範囲】
【請求項１】
電気的な刺激を用いる電気治療器において、容易に取り外し可能な補助記憶装置から記録媒体に記録された治療パターンを入力し、電気的な刺激を再現して出力できることを特徴とする電気治療器。
【請求項２】
請求項１記載の電気治療器において、容易に取り外し可能な補助記憶装置に代えて通信インタフェースを備え、通信回線から治療パターンを入力し、電気的な刺激を再現して出力できることを特徴とする電気治療器。
【請求項３】
請求項１又は２記載の電気治療器において、使用者が作成した治療パターンを、容易に取り外し可能な補助記憶装置の記録媒体に記録できる、または通信回線を介して送信できることを特徴とする電気治療器。
【発明の詳細な説明】
【技術分野】
【０００１】本発明は、治療パターンを電気治療器装置外部の記録媒体または通信回線より入力でき、あるいは治療パターンを電気治療器装置外部の記録媒体に記録または通信回線より送信できる電気治療器に関する。
【背景技術】
【０００２】従来の電気治療器には、治療パターンを電気治療器装置内部のメモリ等に記録された限られたパターンの中から選択して出力するものがある（例えば、特許文献１参照）。
また、使用者が治療パターンを作成し電気治療器装置内部に記録することはできても、その治療パターンを電気治療器装置外部に取り出して他の装置で利用することが難しいものがある（例えば、特許文献２参照）。
【特許文献１】  特許公開２０００−１８９５２５号公報
【特許文献２】  特許公開２００５−１４４１７６号公報
【発明の開示】
【発明が解決しようとする課題】
【０００３】従来の電気治療器では電気治療器装置内部にある治療パターンが限られているため、多種多様な治療パターンを提供することができなかった。また、使用者が作成した治療パターンが電気治療器装置内部に記録されるため、電気治療器装置外部に取り出して他の装置で利用することが難しかった。そこで、本発明は治療パターンを電気治療器装置外部から入力し、あるいは治療パターンを電気治療器装置外部に記録または送信できるようにすることを課題とする。
【課題を解決するための手段】
【０００４】上記課題を解決するために、請求項１記載の電気治療器は容易に取り外し可能な補助記憶装置を備える。この補助記憶装置の記録媒体は、例えば、磁気ディスク、フロッピーディスク、リムーバブルハードディスク、ＭＯ、ＣＤ、ＤＶＤ、メモリカードなどである。この記録媒体に治療パターンをあらかじめ記録しておき、電気治療器に入力する。【０００５】上記課題を解決するために、請求項２記載の電気治療器は通信インタフェースを備え、通信回線を介して治療パターンを電気治療器に入力する。【０００６】上記課題を解決するために、請求項３記載の電気治療器は容易に取り外し可能な補助記憶装置または通信インタフェースを備え、使用者が作成した治療パターンを、容易に取り外し可能な補助記憶装置の記録媒体に記録したり、通信回線を介して電気治療器装置外部に送信する。
【発明の効果】
【０００７】本発明は次のような効果を奏する。
請求項１に記載されている発明は、容易に取り外し可能な補助記憶装置から記録媒体に記録された治療パターンを電気治療器に入力できるので、電気治療器装置内部にある治療パターンに限定されない多種多様な治療パターンを提供することができる。【０００８】請求項２に記載されている発明は、通信インタフェースを備え、通信回線を介して治療パターンを電気治療器に入力できるので、電気治療器装置内部にある治療パターンに限定されない多種多様な治療パターンを提供することができる。【０００９】請求項３に記載されている発明は、容易に取り外し可能な補助記憶装置または通信インタフェースを備えているので、使用者が作成した治療パターンを記録媒体に記録したり、通信回線を介して送信することができ、その治療パターンを電気治療器装置外部に取り出して他の装置でも利用することが容易になる。
【発明を実施するための最良の形態】
【００１０】本発明は、図１に示されるように、電気的な刺激を用いる電気治療器１に、容易に取り外し可能な補助記憶装置２または通信インタフェース４のいずれか一方、あるいは両方を設ける。容易に取り外し可能な補助記憶装置２によって、電気的な刺激の時間経過にともなう変化による治療パターンを記録した記録媒体３から治療パターンを入力できるようにする。また、使用者が電気治療器１で作成した治療パターンを記録媒体３に記録できるようにする。通信インタフェース４によって、電気的な刺激の時間経過にともなう変化による治療パターンを通信回線５を介して電気治療器装置内部に入力できるようにする。また、使用者が電気治療器１で作成した治療パターンを通信回線５を介して電気治療器装置外部に送信できるようにする。これらにより、電気治療器装置外部から多種多様な治療パターンを電気治療器装置内部に取り入れて利用したり、使用者が作成した治療パターンを電気治療器装置外部に取り出して他の装置でも利用することができるようになる。
【図面の簡単な説明】
【００１１】
【図１】本発明の構造表示図である。
【符号の説明】
【００１２】１  電気治療器
２  容易に取り外し可能な補助記憶装置
３  記録媒体
４  通信インタフェース
５  通信回線
６  電気刺激発生部（電気刺激発生制御装置、操作装置、表示装置、記憶装置等を含む）
７  電気刺激出力導子
【図１】
2009095626.tif 000003
(57)【要約】【課題】  手編みゾーリを編む際に、ゾーリ巾が不揃いにならない様に巾決め装置によりゾーリ巾を一定に保ちながら編むことのできる手編みゾーリ作業台の巾決め装置を提供する。【解決手段】  底板（３）の上部にロープガイド（５）、支持台（７）、スライド板（９）、スライド板枠（１０）によって構成された巾決め装置を設置した手編みゾーリ作業台の巾決め装置を特徴とする。【選択図】図１
2009095624.tif 000002
【特許請求の範囲】
【請求項１】
ロープ掛け板（１）に底板（３）を取り付けた手編みゾーリ作業台において、底板（３）の上部に、ロープガイド（５）、支持台（７）、スライド板（９）、スライド板枠（１０）によって構成された巾決め装置を設置した手編みゾーリ作業台の巾決め装置。
【発明の詳細な説明】
【技術分野】
【０００１】この発明は、手編みゾーリ作製時に、ロープ巾を一定に保つために手編みゾーリ作業台に巾決め装置を設置した手編みゾーリ作業台の巾決め装置に関するものである。
【背景技術】
【０００２】従来、手編みゾーリを編む際に使用する作業台は、図１の底板（３）にロープ掛け板（１）を取り付けたもので、ロープを掛けるだけのものであった。
【発明の開示】
【発明が解決しようとする課題】
【０００３】  従来、手編みゾーリを編む際には、手の指を使用してゾーリ巾を決めるため、ゾーリ巾が不揃いになりやすく、ゾーリ巾を一定に保つためには相当の熟練を要した。
【課題を解決するための手段】
【０００４】図１の底板（３）の左右両端に、スライド板枠（１０）を設け、ロープガイド（５）を取り付けた支持台（７）をスライド板（９）に固定して、スライド板（９）を左右のスライド板枠（１０）の間に挿入する。
【発明の効果】
【０００５】図３に示すように、ロープ（１３）がロープガイド（５）のロープ溝（６）に入りロープの位置が固定されるので、手の指の感覚に頼ることなく容易にゾーリ巾を一定に保つことができる。ロープガイド（５）は、スライド板（９）により前後に移動するので作業性が良いと共に、着脱が出来るので種々のサイズのものを使用できる。
【発明を実施するための最良の形態】
【０００６】底板（３）の左右両端にスライド板枠（１０）を設ける。支持台（７）の上部に嵌め合い凹部（１２）を設け、ロープガイド（５）の下部の嵌め合い凸部（１１）を嵌め込む。支持台（７）の下部にスライド板（９）を取り付け、スライド板枠（１０）の間に挿入する。これを使用することによって、初心者でも容易に作業が出来ると共に作業能率も向上する。
【図面の簡単な説明】
【０００７】
【図１】  本発明の斜視図
【図２】  本発明の部分斜視図
【図３】  本発明の使用形態斜視図
【符号の説明】
【０００８】１  ロープ掛け板、２  ロープ掛け部、３  底板、４  ロープ掛け板支え、５  ロープガイド、６  ロープ溝、７  支持台、８  支持台支え、９  スライド板、１０  スライド板枠、１１  はめ合い凸部、１２  はめ合い凹部、１３  ロープ、１４  ゾーリ
【図１】
2009095624.tif 000003
【図２】
2009095624.tif 000004
【図３】
2009095624.tif 000005
(57)【要約】      （修正有）【課題】陣地取りゲームにおいて、２人〜４人で遊べ、コマの種類が多く、且つコマの動き方が簡単に認識できる事。又、１つの局面から次に指す一手の選択肢が多くある事。規則が簡単で例外規定が少ない事。ゲームの勝敗は、初心者でも簡単に理解できる事。【解決手段】各コマについて、コマの種類を多くして、１つ１つの動き方に個性と特徴を持たせた事。各コマに固有の移動範囲を設定し、それを図式化して表示した事。コマの指す一手の選択肢が４方向ある事。ゲーム開始時のコマの配置は自由配列でよいとした。勝敗は、先に陣地を占領した方が勝ちという、初心者でも簡単に理解できる事。【選択図】図１
2009095618.tif 000002
【特許請求の範囲】
【請求項１】
直交する縦横の線が引かれた正方形のボード上で「課題を解決する為の手段」に挙げた中から選ばれたコマを使用し、各コマの移動によって相手のコマの上に重なったら捕獲し、持コマとして再使用可能とした。最終的に相手の陣地を占領する事を目的とする２人〜４人で対戦する陣取りゲームの用具。
【請求項２】
このゲームの商品化・テレビゲーム化・ＰＣゲーム化に対するすべての権利
【発明の詳細な説明】
【発明の詳細な説明】
【技術分野】
【０００１】本発明は、各々のコマに定められた移動方法に従って、コマを交互に移動し、相手の陣地を占領する陣取りゲームの用具に関するものである。
【背景技術】
【０００２】従来からあるダイヤモンドゲーム・オセロ等については、陣地を取るという目的は似ているが、本発明において使用するコマの種類や移動方法がダイヤモンドゲーム・オセロ等とは別の種類である。
【発明が解決しようとする課題】
【０００３】（イ）コマの種類が豊富であり、従って、途中の局面が多彩で変化に富んでいる事。（ロ）コマの移動方法が簡単に認識できる事。
【課題を解決する為の手段】
【０００４】（イ）コマの種類を三角関数の性質の三角比を利用して、三角比を表す値をコマの移動の方向性として規則化し、各コマの役割と定めた。（ロ）コマの表面上に移動範囲を図式化して、コマに図形で表示し、直感的に分かるようにしたので記憶する必要がなく、簡単にコマの動き方を認識できる。
【０００５】このゲームにおいて使用するコマの種類を挙げると次のようになる。（移動範囲を示す）［図４］（図面には移動範囲を図式化し表示の一例を示した）
【０００６】コマの移動は、どのコマも図式の矢印表示の４方向に移動可能とした。尚、ボード上を移動する数は、分数の分母の数から始まり分子で終わるように設定した。
【ｓｉｎコマ】
【０００７】
2009095618.tif 000003
【ｃｏｓコマ】
【０００８】
2009095618.tif 000004
【ｔａｎコマ】
【０００９】
2009095618.tif 000005
【ｃｏｓｅｃコマ】
【００１０】
2009095618.tif 000006
【ｓｅｃコマ】
【００１１】
2009095618.tif 000007
【ｃｏｔコマ】
【００１２】
2009095618.tif 000008
【実施例１】コマは自分の陣地１列目から３列上段までの自由配列とする。
【実施例２】ゲーム参加者は、順番にコマを移動する。
【実施例３】最終的に対戦者の陣地を全部占領した者が勝者とする。
【実施例４】各コマの移動によって対戦者のコマの上に重なったら捕獲し、持コマとして再使用可能とする。
【図面の簡単な説明】
【００１３】
【図１】本発明のゲームに使用されるボードの一例と、コマの初期開始配列の一例。
【図２】コマの種類と移動の方向性を規則化し、各コマの役割を定めるための基本となる記号を示す図である。
【図３】コマの移動方向を規則化するために用いた三角関数の性質において、三角比を利用して、各コマの移動の方向性を規則化した図である。
【図４】コマの表面上に移動範囲を図式化して、コマに図形表示した図である。
【図５】各コマの４方向に移動可能方法を示した一例である。
【符号の説明】
【００１４】▲１▼〜▲４▼  コマの移動可能方向を示した。
▲５▼  分母の数字を表す
▲６▼  分子の数字を表す
▲７▼  陣地
【図１】
2009095618.tif 000009
【図２】
2009095618.tif 000010
【図３】
2009095618.tif 000011
【図４】
2009095618.tif 000012
【図５】
2009095618.tif 000013
(57)【要約】      （修正有）【課題】汚れた空気のもとで生活しなければならない現代人は、広くマスクを着用し、個人レベルで感染予防に努める必要がある。従来のマスクは、花粉やほこり、細菌・ウイルス等を含む飛沫を不織布の繊維に吸着させて吸引を阻止するものである。しかしながら、飛沫は水分の蒸発、乾燥とともに粒子が小さくなり、不織布の目を通過する危険性が生じる。【解決手段】マスク本体内側に立体成型したポリウレタンを使用して外気を遮断し、自らの呼気を循環して呼吸の維持・継続を図る。また、女性用マスクに限って、顔面接触面に紙おしろいを使用するすることにより女性の化粧落ちの回避を図る。【選択図】図１
2009095615.tif 000002
【特許請求の範囲】
【請求項１】
マスク本体内側に立体成形したポリウレタンを使用することを特徴とする立体マスク。
【請求項２】
女性用マスクに限って、顔面接触面に紙おしろいを使用することを特徴とする立体マスク。
【発明の詳細な説明】
【技術分野】
【０００１】  この発明は、大気中の花粉、ほこり、細菌・ウイルスを含む飛沫等の吸引防止方法について。
【背景技術】
【０００２】  従来のマスクは、不織布を使用して、花粉等汚染物質をその繊維に吸着させて吸引の阻止を図ったものである。
【発明の開示】
【発明が解決しようとする課題】
【０００３】  しかしながら、以上の技術によると、マスク外側部は多数の汚染物質が吸着することになる。そして、飛沫は水分の蒸発につれて粒子が小さくなり、不織布の目を通過し、体内吸引の危険性が生じる。
そこで、この発明は、マスク本体内側にポリウレタンを使用することによって外気を遮断し、自らの呼気を循環して呼吸の維持・継続を図ることを課題とする。
同時に、立体マスクによってメリハリのある顔のラインを作り出し、さらに、内部空間を確保することにより、女性の化粧落ちの回避を図ることを課題とする。
【課題を解決するための手段】
【０００４】  以上の課題を解決するために、第一発明は、マスク本体内側に立体成型したポリウレタンを使用して外気を遮断することを特徴とする立体マスクである。
また、第二発明は、女性用マスクに限って、顔面接触面に紙おしろいを使用することを特徴とする立体マスクである。
【発明の効果】
【０００５】  １．外気の吸引量を従来品より低減することができる。
外気の吸引量を低減することにより、花粉その他の汚染物質吸引の危険性を回避することができる
２．紙おしろいにより、化粧落ちを回避できる。
【発明を実施するための最良の形態】
【０００６】  この発明の一実施形態を、図１に示す。
マスクの本体外側部１は、従来どおり汚染物質遮断機能不織布を使用する。内側部２に立体成型したポリウレタンを圧着してメリハリのある顔のラインを作る。但し、ポリウレタンは通気性がないので、通気部４を設ける。内側上部に、ノーズフィット部３を設ける。女性用にのみ、顔面接触面に紙おしろい６を使用する。【０００７】「実施形態の効果」
この実施形態によれば、外気の吸引を低減することができる。また、立体成型により、メリハリある顔のラインを作り出すとともに化粧落ちを回避できる。【０００８】「他の実施形態」    なし
【図面の簡単な説明】
【０００９】
【図１】この発明の一実施形態を示す正面図である。
【図２】この発明の一実施形態を示す右側側面図。
【図３】ノーズフィット部上面図
【符号の説明】
【００１０】    １  マスク外側部      ２  ウレタン部      ３  ノーズフィット部
４  通気部            ５  耳紐            ６  紙おしろい
【図１】
2009095615.tif 000003
【図２】
2009095615.tif 000004
【図３】
2009095615.tif 000005
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
マスク本体内側に通気性のない素材を使用することを特徴とする立体マスク
【手続補正２】
【補正対象書類名】明細書
【補正対象項目名】全文
【補正方法】変更
【補正の内容】
【発明の詳細な説明】
【技術分野】
【０００１】  この発明は、大気中の花粉、ほこり、細菌・ウイルスを含む飛沫等の吸引防止方法に関する。
【背景技術】
【０００２】  従来のマスクは、不織布を使用して、花粉等汚染物質をその繊維に吸着させて吸引の阻止を図ったものである。
【発明の開示】
【発明が解決しようとする課題】
【０００３】  以上の技術によると、マスク外側部は多数の汚染物質が吸着することになる。そして、飛沫は水分の蒸発につれて粒子が小さくなり、不織布の目を通過し、体内吸引の危険性が生じる。【０００４】  この発明は、マスク本体内側に通気性のない素材を使用することによって外気を遮断し、自らの呼気を循環して呼吸の維持・継続を図ることを課題とする。
【課題を解決するための手段】
【０００５】  以上の課題を解決するために、本発明はマスク本体内側に通気性のない素材を立体成型して、内部空間を確保する。【０００６】マスクの一部にわずかな通気部を設け、呼気と吸引した外気により呼吸を維持・継続する。
【発明の効果】
【０００７】  外気の吸引量を低減することにより、空気中の花粉その他の汚染微粒子吸引の危険性を回避することができる。【０００８】また、鼻腔・喉・気管の粘膜は冷気・乾燥に弱いことから、近年医療関係者の間からマスク着用による保温保湿が感染予防に有効であるとの声が多く聞かれるようになった。
呼気は外気よりも保温保湿のすぐれ、感染予防効果はさらに有効と考えられる。【０００９】  この発明の実施形態を、図１〜３に示す。【００１０】  図１において、マスクの本体外側部１は、従来どおり汚染物質遮断機能不織布を使用する。【００１１】  内側部２は通気性のない素材を立体成型する。【００１２】  内側上部に通気部３とノーズフィット４を設ける。
【背景技術】
【００１３】本発明中のノーズフィットは、大三（株）「快適ガードプロ」のノーズクッションを採用する。【００１４】「実施形態の効果」
この実施形態によれば、外気の吸引を低減することができる。
【図面の簡単な説明】
【００１５】
【図１】本発明の実施形態を示す正面図
【図２】本発明の実施形態を示す右側側面図
【図３】ノーズフィット上面図
【符号の説明】
【００１６】１  マスク外側部    ２マスク内側部    ３  ノーズフィット
４  通気部          ５  耳紐
【手続補正３】
【補正対象書類名】図面
【補正対象項目名】図３
【補正方法】変更
【補正の内容】
【図３】
2009095615.tif 000006
(57)【要約】【課題】  本発明は、三つ折りに畳んだ敷布団本体に、布団収容カバーを包み込むように覆いかぶせ、ソファー座部を形成し、掛け布団を袋状カバーに収容して、ソファー背もたれ部を形成し、座部、背もたれ部をズレ防用のヒモで結び、ソファーとして形成し、布団とソファーを兼用した、布団ソファーを提供する。【解決手段】  掛け布団（２）を収納する袋状の背もたれ部収容カバー（１）を設け、敷布団（４）を収納する座部収容カバー（６）を設け、背もたれ部収容カバー（１）と座部収容カバー（６）にヒモ（３）を設けたことを特徴とする布団ソファーを形成する。【選択図】図１
2009095681.tif 000002
【特許請求の範囲】
【請求項１】
掛け布団（２）を収納する袋状の背もたれ部収容カバー（１）を設け、敷布団（４）を収納する座部収容カバー（６）を設け、背もたれ部収容カバー（１）と座部収容カバー（６）にヒモ（３）を設けたことを特徴とする布団ソファー。
【発明の詳細な説明】
【技術分野】
【０００１】  本発明は、三つ折りに畳んだ敷布団本体に、布団収容カバーを包み込むように覆い被せ、ソファー座部を形成し、掛け布団を袋状カバーに収容して、ソファー背もたれ部を形成し、座部、背もたれ部をズレ防用のヒモで結び、ソファーとして形成し、布団とソファーを兼用した、布団ソファーに関するものである。
【背景技術】
【０００２】  従来、畳んだ布団は、押し入れに保管し、ソファーはインテリアとして別々に、配置していた。
布団とソファーの別配置はスペースを必要とし、独身者や単身赴任者などは、ワンルームで生活する場合が多く、一人暮らしでない家族においても、狭い家屋での生活上増える生活用品の収納の確保が重要な課題となる。
いかに生活空間を広くするかが快適な生活を送るための重要な課題でもある。
そこで、就寝用の布団を、夜は寝具として、昼はインテリアのソファーとして、兼用することで、寝室が、リビングの空間を造りだすことができる。
従来の発明に、押入れ内の不要の布団を、緊締バンドでしめて収容カバーにソファーを形成し、室内に置くタイプの発明もあった（特許文献１参照）。
また、ソファーの背もたれ部として弾性クッション材を別個に設け、背もたれ部背面の凹部に、枕をはめ込む形状の発明もあった（特許文献２参照）。
【特許文献１】  特開平８−２９９１５０号公報
【特許文献２】  特開２００３−１４４２６９号公報
【発明の開示】
【発明が解決しようとする課題】
【０００３】  従来の発明に、押入れ内の不要の布団を、緊締バンドでしめてカバーに収容し、ファスナーで閉め、座部と背もたれ部を固着するタイプの発明もあったが、背板と底板を備えた板枠体を固定しているため大掛かりであり、ソファー形成に、手間がかかっていた。
また、背もたれ部として弾性クッション材を別個に設け、背もたれ部背面に枕をはめ込む形状の発明もあったが、はめ込み式クッション材自体が場所を取っていた。
本発明は、これらの欠点を解決するためになされたものである。
【課題を解決するための手段】
【０００４】  掛け布団（２）を収納する袋状の背もたれ部収容カバー（１）を設け、敷布団（４）を収納する座部収容カバー（６）を設け、背もたれ部収容カバー（１）と座部収容カバー（６）にヒモ（３）を設ける。
以上のように構成された布団ソファーである。
従来のそれぞれの発明の利点を取り、それをよりシンプルにしたものである。
【発明の効果】
【０００５】  上述のように、布団収容カバーがよりシンプルな構造であるため、ソファー座部においては、座部底面に、伸縮ゴムが取り付けてあり、敷布団の収容調節が自在であり、形成が容易である。
したがって、従来の発明のように、座部収容カバー底面の絞り紐を必要としない。
伸縮ゴムのみで十分である。
掛け布団を収納する背もたれ部収容カバーにおいても、カバーが袋状であるため、布団の収容調節が自在であり、形成が容易である。
また、形成された座部、背もたれ部をズレ防止用のヒモで結ぶため、おしゃれである。
このように本発明は、極めて単純な構造ではあるが、布団を容易に、かつ瞬時にソファーとして転用でき、部屋、押入れの空間を機能的かつ有効に利用でき、寝室をリビングとして提供できる。
本発明は、三つ折に畳まれた敷布団本体に、布団収容カバーを包み込むように覆いかぶせてソファー座部を形成し、また掛け布団を袋状のカバーに収容し、ソファー背もたれ部を形成し、座部と背もたれ部を、ズレ防止用のヒモで結ぶことにより、おしゃれなソファーとして完成する。
布団を、押し入れに収納する、時間的、労働的負担を省くことができ、狭い室内の空間において、布団を、ソファーとして兼用することで、寝室がリビングとなり、生活空間をより快適に、かつ機能的にし、押入れの有効利用に役立つ。
【発明を実施するための最良の形態】
【０００６】  以下、本発明の実施の形態について説明する。
掛け布団（２）を収納する袋状の背もたれ部収容カバー（１）を設ける。
敷布団（４）を収納する座部収容カバー（６）を設ける。
背もたれ部収容カバー（１）と座部収容カバー（６）にヒモ（３）を設ける。
以上のように構成された布団ソファーである。
本発明は、三つ折に畳まれた敷布団本体に、座部収容カバーを包み込むように覆いかぶせることにより、ソファー座部を形成する。
ソファー座部の底面には伸縮ゴムが取り付けてあり、敷布団を二枚敷く人にとっても、ソファー座部の厚みにより、自在に布団の収容調節ができる。
また、掛け布団を収納する、背もたれ部の収容カバーは袋状になっているため、冬季の毛布や、夏季のタオルケットなども入り、相応に収容調節ができる。
座部、背もたれ部の収容カバーのズレ防止用のヒモは、デザイン的にもよい。
なお、素材は本実施例では布であるが、これに限定されるものではなく、合成樹脂シート、皮革などを使用することもできる。
違った素材、色、柄等のカバーを替えることにより、季節や部屋にマッチした、おしゃれなインテリア家具としての役目も果たすことができ、自在に応用ができる。
布団がソファーとして転用できるので、省スペースになり、押入れ内部の空きスペースに、衣類等の生活用品を、十分に確保でき収納できる。
その結果、空間をさらに有効に活用できる。
また、ワンルームなどの狭い室内においては、机、電化製品、本棚などのスペースも必要であり、この本発明の布団ソファーは、部屋のコーナーや壁面に配置でき、生活空間を広く活用できる。
布団が、家具としての機能を果たし、狭い家屋であっても寝室、リビングとして、空間を機能的かつ有効に活用できる。
本発明は、狭い部屋で生活し、布団を寝具として愛用する人にとって、日常、生活する生活空間を、より機能的かつ快適に暮らすために編み出された最良の発明である。
【図面の簡単な説明】
【０００７】
【図１】  本発明のソファー形成時の斜視図である。
【図２】  本発明のソファー座部の底面図である。
【符号の説明】
【０００８】  １  背もたれ部収容カバー
２  掛け布団
３  ヒモ
４  敷布団
５  ソファー座部
６  座部収容カバー
７  伸縮ゴム
【図１】
2009095681.tif 000003
【図２】
2009095681.tif 000004
(57)【要約】【課題】  植木鉢に水を掛けても、鉢土が吸収する水以外は全て鉢穴から外に出てしまい、植物が水枯れし易いという不都合を解決すること。【解決手段】  植木鉢の側面下部に空けた穴に、壁面に穴を空けた中空の栓を取り付けた植木鉢により、植木鉢に掛けた水の一部が同栓より下に残り、この問題を解決する。【選択図】図１
2009095327.tif 000002
【特許請求の範囲】
【請求項１】
植木鉢の側面下部に空けた穴に、壁面に穴を空けた中空の栓を取り付けた植木鉢。
【発明の詳細な説明】
【技術分野】
【０００１】  本発明は、植木鉢に関するものであり、植木鉢の穴を新しい形態にすることによって、植物の水枯れを遅らせるようにしたものである。
【背景技術】
【０００２】従来から、植木鉢は鉢底に穴を空けているか、その穴に取り外し出来る栓を付けている。
なお、特許文献、非特許文献については調べてはいない。
【発明の開示】
【発明が解決しようとする課題】
【０００３】  しかし、従来のような鉢底に穴を空けた植木鉢では、水を掛けても鉢土が水を吸収した残りは全て穴から外に出てしまうので、鉢土が吸収した水が無くなると植物は水枯れとなる。又、その穴に取り外しできる栓を付けても水を掛ける時には栓を外さなければならず、穴から水が出た後に栓をしても鉢土の水が無くなると植物は水枯れとなる。
【課題を解決するための手段】
【０００４】  この課題を解決するための請求項１の発明は、植木鉢側面下部に空けた穴に、壁面に穴を空けた中空の栓を取り付けたことを特徴とする植木鉢である。
【発明の効果】
【０００５】  この植木鉢により、鉢に掛けた水は鉢側面下部に取り付けた壁面に穴を空けた中空の栓より流れ出るが、同栓より下に水は残り、植物の水枯れを遅らせることができる。
【発明を実施するための最良の形態】
【０００６】  図１は、植木鉢の側面下部に空けた穴に、壁面に穴を空けた中空の栓を取り付けたことを特徴とし、鉢に掛けた水の一部は鉢側面下部に取り付けた壁面に穴を空けた中空の栓より下に残り、植物の水枯れを遅らせることができる。【０００７】  又、壁面に穴を空けた中空の栓の穴を下にすることにより、鉢に掛けた水が同栓より流れ出るときに鉢土の流失を少なくすることができる。【０００８】  なお、従来の鉢底に穴を空けその穴に取り外しできる栓を付けた植木鉢と本発明を組み合わせることにより、植木鉢の水を自由に調節することができる。【００９】植木鉢は、土、プラスチックなどで通常のもので良い。【００１０】壁面に穴を空けた中空の栓は、ゴム、プラスチック等で良い。
【産業上の利用可能性】
【００１１】  本発明に係る植木鉢は、工業的に量産することが可能であるため、産業上の利用可能性を有する。
【図面の簡単な説明】
【００１２】
【図１】植木鉢の側面下部に空けた穴に、壁面に穴を空けた中空の栓を取り付けた植木鉢の断面図である。
【図２】従来の鉢底に穴を空けた植木鉢と取り外しできる栓の断面図である。
【符号の説明】
【００１３】１側面下部に穴を空けた植木鉢
２壁面に穴を空けた中空の栓
３従来の鉢底に穴を空けた植木鉢
４取り外しできる栓
【図１】
2009095327.tif 000003
【図２】
2009095327.tif 000004
(57)【要約】【課題】作成した有機系有色元素化合物や色素等で環境負荷や貝郡の死亡率や成長、血液学的所見の実験から生殖及び毒性、または変異原性等の異常を確認する必要がある。【解決の手段】貝郡の生態的変化や環境負荷を確認する必要がある為作成した有機系有色元素化合物や色素等の安全を確認する為に、作成した組成物を０．５、１．５及び５．０％飼料を２４ヶ月マウスに与え科学的検知から死亡率、成長、血液学的所見の実験から生殖及び毒性、または変異原性等の異常が認められず、貝郡に挿入した核に色彩の形成層を作成することが出来た。【選択図】なし【特許請求の範囲】
【請求項１】
貝郡の生態的イオン交換を利用し体細胞内に有機系有色元素化合物等の色素の組成物を注射器等の器具類で体内に注入する事で挿入した核に色彩の形成層を得る事を特徴とする。
【発明の詳細な説明】
【技術分野】
【技術分野】
【０００１】本発明は、貝郡の体細胞に存在する生態的機能性を利用し注射器等の器具類で有機系有色元素化合物等の色素を注入し挿入した核に色彩の形成層が得られるのである。
【背景技術】
【０００２】貝郡の中でアコヤ貝を利用し作成した有機系有色元素化合物や色素等を体細胞に注射器で注入を行い環境負荷や死亡率、成長、血液学的所見の実験から生殖及び毒性、または変異原性等の異常が認められず、挿入した核から色彩の形成層を得ることが出来た。［特許文献なし］
【発明の開示】
【発明者が解決しようとする課題】
【０００３】作成した有機系有色元素化合物や色素等で環境負荷や貝郡に影響が無く、挿入した核に色彩の形成層が得られるか確認する必要がある。
【課題を解決する為の手段】
【０００４】作成した有機系有色元素化合物や色素等の安全を確認する為に作成した組成物を０．５、１．５及び５．０％飼料を２４ヶ月マウスに与え科学的検知から死亡率、成長、血液学的所見の実験から生殖及び毒性、または変異原性等の異常が認められなかった。
【発明の効果】
【０００５】貝郡に挿入した核に色彩の形成層を作成することが出来た。
【発明の実施するための最良の形態】
【０００６】本発明は、科学的に分光分析試験におけるマンセル値や蛍光Ｘ線元素分析、または紫外可視分光を行い結果が得られた。
【実施例】
【０００７】以下本発明をさらに詳細に説明する。
本発明の実施において、有機系有色元素化合物や色素等を貝の体内に注入を実施したところ挿入した核に目的に応じた色彩の形成層を得ることが出来た。
【産業上の利用可能性】
【０００８】彩りの形成層が得られた事で、異形や形状の異なった色彩の形成層を作成し販売を行う。
(57)【要約】【課題】煙草を喫煙するための補助器具を提供する。【解決手段】煙草を保持できるように形成された、開閉可能な狭持具に柄を設けた事を特徴とする喫煙補助具。【選択図】図１
2009095328.tif 000002
【特許請求の範囲】
【請求項１】
煙草を保持できるように形成された、開閉可能な狭持具に柄を設けた事を特徴とする喫煙補助具。
【発明の詳細な説明】
【技術分野】
【０００１】本発明は、煙草を喫煙するための補助器具である。
【背景技術】
【０００２】従来、たばこを喫煙する場合、火を付けた煙草を直接２本の指で挟んで行われていた。
【発明の開示】
【発明が解決しようとする課題】
【０００３】これは次のような問題があった。
（イ）喫煙後、指に煙草の臭いが残り、水で洗っても容易に臭いを落とすことができない。
（ロ）水分等で湿気を帯びた指で煙草を挟むと、その湿気によって本来の煙草の香りが楽しめない。
（ハ）水分等で湿気を帯びた指で煙草を挟むと、挟んだ個所が湿気で折れてしまう場合があった。
本発明は、これらの問題点を除くためになされたものである。
【課題を解決するための手段】
【０００４】煙草を保持できるように形成された、開閉可能な狭持具（１）に柄（２）を設けた事を特徴とする喫煙補助具である。
【発明の効果】
【０００５】本発明により、以下の効果を発揮する。
（イ）直接指に触れる事無く喫煙できるので、喫煙後、指に煙草の匂いが残りづらくなる。
（ロ）指に着く煙成分が減るため、同じ指で触る物に間接的に付着する煙成分の量を減らすことができる。
（ハ）水を使う作業中または直後でも、煙草の品質を保ったまま喫煙できる。
【発明を実施するための最良の形態】
【０００６】  以下、本発明の実施例について説明する。
（イ）支柱（３）をつまむ事により狭持具（１）が開き、煙草を保持できるようになる。
（ロ）煙草の内、煙草部分とフィルターの境目近辺を狭持具（１）で挟み、柄（２）を任意の手で掴み喫煙する。
本発明は以上のような方法で喫煙を補助する。
【図面の簡単な説明】
【０００７】
【図１】本発明の斜視図
【図２】本発明の分解斜視図
【図３】本発明の支柱をつまんだ状態を示した斜視図
【図４】本発明の実施例を示す斜視図
【符号の説明】
【０００８】  １  狭持具
２  柄
３  支柱
【図１】
2009095328.tif 000003
【図２】
2009095328.tif 000004
【図３】
2009095328.tif 000005
【図４】
2009095328.tif 000006
(57)【要約】      （修正有）【課題】従来のダルマは各分野で縁起物として使われているが、学術分野専用の形態を有するものはなかった。ダルマは縁起のよいオモチャや贈答の商品だけでない不撓不屈の精神・文武両道の平常心を養って、いざというとき十二分の能力を発揮する本来の教えが、従来のダルマから伝わってこない。【解決手段】ダルマの頭部に大学角帽・博士帽等の角帽つけた姿を見ることによって、目前の試験を合格すればあの帽子が着用できる。最終は博士号をとって、世のため、人のために尽くし、人々から尊敬される大きな目標が洗脳化されてくるというプラス志向の方法である。達磨大師本来の教えのとうり、体を鍛え心を養い平常心をもって行動することを受験合格ダルマを通じて知ってもらい、頭でっかちの人間でなく、社会性のある人として育ってもらうため学術部門専用のダルマの形態とした。【選択図】図３
2009095398.tif 000002
【特許請求の範囲】
【請求項１】
ダルマの頭部に大学角帽（図２）・博士帽（図３）等の角帽
をつけ、受験合格ダルマ専用の形態したことを特徴とするダルマ。
【請求項２】
角帽の台形部と平板部の下地の型をつくりドリル穴図6−10をあけ、金網図6−9をはって  図４又は  図５のような成型器をつくり真空ポンプで水槽内にあるネタを吸引成型する。台形部分図4−5図5−7を抜き取り、平板図4−6図5−8の中央部に押し当てネタを容器で少しすくい込み吸引接着する。このとき平板と接する台形部の上部は穴図6−11があくような構造の芯をいれ接着力をよくした特許請求項１記載のダルマに付ける角帽を制作する方法。
【発明の詳細な説明】
【技術分野】
【０００１】
本発明は受験のとき願いをかけるダルマに関する。
【背景技術】
【０００２】
従来のダルマは文字、色によって選挙用、結婚用、商売繁盛、厄除け、受験用、子供の健やかな成長を願う姫ダルマ、その他などに分けられ造られている。一例ではあるが、当選と文字が入れば、選挙用ダルマ、商売繁盛と文字が入れば開店祝いダルマ、入学又は合格の文字が入れば受験合格ダルマ。結婚用ダルマは白又はピンク色地に金色文字で寿とか福又は幸の文字を入れる。近年は厄除けとして黒色ダルマも見かけるようになってきた。
【０００３】
従来の一般的なダルマについて説明すると図1に於いて全体の赤色1は魔よけの効果を信じていたこと「ほうそう」を引き起こす神が赤色を嫌うという2つの理由で赤色地が主流になってきた。
【０００４】
眉毛2は鶴が向かい合って描かれている。口ヒゲ3は亀が向かい合った形状であり、鶴亀でめでたい縁起物として喜ばれている。
目4は購入者が願いをかけたときに向かって右側の目を描き、祈願がかなったときに左側の目を入れる。この目入れの方法も不首尾に終わったときに廃棄するため、盲人や身体障害者の心証を傷つけると近年問題となっている。
【０００５】
ダルマの由来を述べると、ダルマは仏教の一派である禅宗開祖の達磨の姿を模した置物又は玩具である。達磨の面壁九年という座禅を続けた逸話に見立てられ、そして「起き上がり」「七転八起」という特性から次第に縁起物としてつかわれるようになった。
【発明の開示】
【発明が解決しようとする課題】
【０００６】
以上述べたように従来のダルマの中に受験合格にのみ的をしぼった形状のものはなかった。そのため受験生からすれば、
インパクト感が少なく、絵馬、お守り、招き猫、JR四国の
学駅入場券キップ、その他のものへ分散して入学または合格
ダルマのシェアは低かった。そして全体的にみても不況業種
として単価は下がり出荷個数も減少している。
【課題を解決するための手段】
【０００７】
本発明は従来の構成が有していた問題を解決しようと、大学角帽、博士帽等の角帽をつけることにより、受験合格ダルマに特化したものである。
ダルマ本体の頭部に角帽の形状の付属部品をつけることにより学問ダルマとして専用の意識を与える方法である。
【０００８】
また角帽を取り付ける方法であるが、仕上がった従来のダルマを汚さず、こわさず、はがれることなく、美しく一体感のある形状で低コストで仕上げる方法である。
【発明の効果】
【０００９】
以上述べたように学問専用のダルマとして使われ、達磨大師
の精神である、不撓不屈、文武両道の精神が受験生にやる気
と安心を与える。また仕上がった従来のダルマの頭部に角帽をつけると付加価値が倍増する。受験生の意識を高め無意識のうちに社会の先頭に立つ人になるよう洗脳化する。
学術部門に於いての改革である。しかも顔描き10年という職人の技を分業によって活用し、出来上がり品に部品をつける
だけで大きな効果が期待でき、生産コストも安くできる。
【発明を実施するための最良の形態】
【００１０】
この角帽はダルマの号数（大きさ）によって違ってくるが、
あらかじめダルマ本体の大きさに合わせたものを準備しておくとよい。最も簡単なものは円筒形の紙筒を切断して四角い
平板紙を接着し色付けする方法であるが、丸い大きな頭部に
似合った姿であるとはいえない。
【００１１】
図4、図5のように角帽部品の型を作っておき水槽内で故紙
を粉砕したネタを真空ポンプで吸引整形する。水槽より出して角帽の台形部分 図４−5 図５−7を形より抜き取り角帽の平板部図４−6 図５−8の二つの中央へ押し当てネタを容器ですくって流し込み部品を吸引接着する。
【００１２】
このとき台形部分の上部であり、四角い平板と接着する中央部に図６−11のように穴をあける構造の芯を入れておくと接着が強固になる。
【００１３】
ただし台形部を抜き取ったときに、ゴム又はビニール等で
パッキンとして栓をしなければ、そこから空気が抵抗なく
入って吸引力が弱り接着不良となる。
【００１４】
角帽の形態ができると乾燥して、微調整後ダルマの頭部に
とりつけ塗装する。
【図面の簡単な説明】
【００１５】
【図１】従来のダルマの正面図
【図２】大学角帽をつけた合格ダルマ
【図３】博士帽をつけた合格ダルマ
【図４】大学角帽製造の吸引整形器の斜視図
【図５】博士帽製造の吸引整形器の斜視図
【図６】図５のA−A‘断面図
【図７】大学角帽台形部分拡大斜視図
【図８】博士帽台形部分拡大斜視図
【符号の説明】
【００１６】
5   大学角帽の台形部
6   大学角帽の平板部
7   博士帽の台形部
8   博士帽の平板部
9   金網
10  ドリル穴
11  帽子の台形部上部の穴
【図１】
2009095398.tif 000003
【図２】
2009095398.tif 000004
【図３】
2009095398.tif 000005
【図４】
2009095398.tif 000006
【図５】
2009095398.tif 000007
【図６】
2009095398.tif 000008
【図７】
2009095398.tif 000009
【図８】
2009095398.tif 000010
(57)【要約】【課題】活発な動きをするペットの尿漏れ及び生理に対して画期的な機能を持ち合わせたベルトを提供する。【解決手段】ベルトをＴ型にすることにより、しっかり固定できるので確実に尿や生理の血の捕捉が可能となる。また、腰回り部ベルトのマジックテープで腰回りのサイズ調節ができる。それに併せ、吸収部のスライド機能により、尿や生理の血の吸収する部位を正常な位置に調整できるように工夫されている。おむつタイプで不可能だった腰回りから股下までのサイズ調節もヒモにすることで実現できる。今まで大変だった後足や尻尾を通す作業もヒモの穴なら簡単に通る。また、腹巻きタイプの尿漏れ防止ベルトでは、対応しきれなかったオスの睾丸や陰茎のはみでるのを防ぐ立体ギャザー機能。この立体ギャザーは、ギャザーが立つことでペットの下半身に沿う形になる。本発明は、オス・メス兼用で使用できると共に、オス・メスの両性に対し避妊効果を有する。【選択図】図６
2009095334.tif 000002
【特許請求の範囲】
【請求項１】
マジックテープを使用したペット（犬、猫等）の尿漏れや生理の血を捕捉するベルトタイプの装着器具であって、その吸収部の上側に腰周り部ベルトを通し、吸収部の下側のヒモホルダーと腰周り部のヒモホルダーにヒモを通して、ヒモの先端をコードストッパーで留める形状を特徴とした腰周りに対して垂直な吸収部を持つＴ型ベルト。
【請求項２】
前記Ｔ型ベルトの尻尾を通す部分にヒモを使用することで股下サイズの調節が可能になった請求項１記載のＴ型ベルト。
【請求項３】
前記Ｔ型ベルトの腰周り部ベルトのマジックテープによるサイズ調節で生じる吸収部の位置を真正面にスライドする機能、そして、その吸収部を最大限スライドしても抜けないようにするスライドストッパーの機能を特徴とした請求項１又は２記載のＴ型ベルト。
【請求項４】
前記Ｔ型ベルトの吸収部に装着されている立体ギャザーは、折りたたんだ生地と平ゴムの組み合わせであり、鋭角な端になる縫い合わせ方をしているので効果的に立つギャザーになり、ペットの下半身に沿う形状になることで尿漏れや生理の血の確実な捕捉と睾丸や陰茎のはみ出しがなくなる特徴を持つ請求項１〜３記載のＴ型ベルト。
【発明の詳細な説明】
【技術分野】
【０００１】
本発明は、活発な動きをするペット（犬、猫等）の尿漏れ（マーキング）や生理に対し、周囲を汚さないようにする効果的なＴ型ベルトである。
【背景技術】
【０００２】
ペットのマーキングによる尿の撒布を防止する腹巻きタイプの尿漏れ防止ベルト（マナーベルト）が主流である。その他には、尿漏れ防止、及び、生理用におむつタイプの防護策が存在する。
【発明の開示】
【発明が解決しようとする課題】
【０００３】
ペットの腹部に装着する腹巻きタイプは、活発な動きをするとずれて陰茎がはみでてくるので尿漏れを完全に防げずにこぼれてしまう。また、構造上、睾丸が露出しているので見た目に問題がある。しかも、メスの尿や生理の部位に対応していない。おむつタイプでは、ずれることはないが糞を排泄するたびに交換する必要がある。そして、後足や尻尾を穴に通すのが困難である。後足や尻尾を簡単に通せ、活発に動いてもずれない快適なＴ型ベルトを提供する。
【課題を解決するための手段】
【０００４】
ペットの腹部に装着する腹巻タイプから腰周りと股下で固定するＴ型ベルトにする。このＴ型ベルトは、腰周り部ベルト、吸収部、ヒモの３つの部分からなるベルトである。マジックテープ（登録商標）による腰周りサイズ調節機能に、ヒモを使用する股下サイズ調節機能を付加することで完全な固定が実現する。それに付随する機能として、吸収部を正常な位置に調整できる吸収部位置スライド機能、吸収部が腰回り部ベルトから抜けないようにするスライドストッパー機能、尿や生理の血の確実な捕捉と睾丸や陰茎の収納をするための立体ギャザー機能、大量の尿にも対応している大きめ生理用ナプキンも使えるポケット機能。
【発明の効果】
【０００５】
オス・メスの両性の尿漏れに完全対応でき、メスの生理の出血も補える。しかも、オス・メスの陰部をカバーしているので避妊具としても使用可能。マジックテープを使った腰回り部ベルトのサイズ調節機能、及び、ヒモとコードストッパーを使った腰回りから股下までのサイズ調節機能により、ぴったりフィットするサイズになるのでしっかりと固定できる。それに併せ、どこでマジックテープを留めても吸収部位置スライド機能により、尿や生理の吸収部を正常な位置に調整できるのでしっかり吸収できる。また、スライドストッパーがあるので、吸収部を最大限スライドさせても腰回り部ベルトからはずれない。吸収部にペットの下半身のカーブに沿う形状になる立体ギャザー機能が搭載されているので睾丸や陰茎が横にはみ出ることがない。また、この機能があることで吸収部に装着した生理用ナプキンが正常な位置からずれることがなく外観からも見えない。吸収部のポケット機能により、吸収素材に大きめ生理用ナプキンを使えるので大量吸収が可能。ヒモを使っているので後足や尻尾を通すのが簡単。
【発明を実施するための最良の形態】
【０００６】
まず、生理用ナプキンを吸収部２の立体ギャザー１０内にしっかり貼り付け、次に、下から上に向かって貼り付けます。吸収部２の上からはみでる大きめ生理用ナプキンを使ったときは、生理用ナプキンの上部を折りたたみポケット５内に収めます。そして、腰周り部ヒモホルダー６から吸収部ヒモホルダー７のヒモ８の長さをゆとりのある長さにしておき、ペットの左後足と尻尾をＴ型ベルトに通し、ペットの腰周り（胴の一番細いところ）のサイズに腰回り部ベルト１のマジックテープ３をしっかりと留め、その後に、腰周り部ベルト１の腰周り部ヒモホルダー６の上部から出でいるヒモ８を上に引っ張ることで股下のサイズ調節をしてコードストッパー９で固定する。吸収部２の位置をスライドさせて、吸収部２の立体ギャザー１０内に陰茎や睾丸が収まる様にする。
【図面の簡単な説明】
【０００７】
【図１】Ｔ型ベルトの展開図（内側）
【図２】Ｔ型ベルトの展開図（外側）
【図３】Ｔ型ベルトの装着図（腹面）
【図４】Ｔ型ベルトの装着図（側面）
【図５】Ｔ型ベルトの装着図（後面）
【図６】Ｔ型ベルトの斜視図（腹側）
【図７】Ｔ型ベルトの斜視図（背側）
【図８】吸収部の断面図（斜め）
【図９】吸収部の断面図（真横）
【符号の説明】
【０００８】
１    腰回り部ベルト
２    吸収部
３    マジックテープ
４    スライドストッパー
５    ポケット
６    腰回り部ヒモホルダー
７    吸収部ヒモホルダー
８    ヒモ
９    コードストッパー
１０    立体ギャザー
１１    平ゴム
１２    犬
１３    尻尾
１４    肛門
１５    インサイドベルト
【図１】
2009095334.tif 000003
【図２】
2009095334.tif 000004
【図３】
2009095334.tif 000005
【図４】
2009095334.tif 000006
【図５】
2009095334.tif 000007
【図６】
2009095334.tif 000008
【図７】
2009095334.tif 000009
【図８】
2009095334.tif 000010
【図９】
2009095334.tif 000011